(57)【要約】      （修正有）【課題】保安性に優れた空調室内機を提供する。【解決手段】室内ユニットは、対象空間の床面に設置され、対象空間へ吹き出される空気流ＡＦを生成する室内ファンと、室内ファンを収容するケーシング４０と、室内ユニット制御部と、を備える。ケーシング４０は、空気流ＡＦの吸込口及び吹出口４１を形成する。ケーシング４０は、吹出口４１における空気流ＡＦの吹出方向を上下に変化させるフラップ４５、を含む。室内ユニット制御部は、対象空間における冷媒漏洩を検知する冷媒漏洩センサと電気的に接続される。室内ユニット制御部は、フラップ４５の動作を制御することで、空気流ＡＦの吹出方向を制御する。室内ユニット制御部は、冷媒漏洩センサが冷媒漏洩を検出した場合、空気流ＡＦの吹出方向を、水平方向ｈ１より上向きの方向ｄｒ２に制御する。【選択図】図６
2017040381.tif 000002
【特許請求の範囲】
【請求項１】
対象空間（ＳＰ）の、床面（Ｆ１）、又は側壁（Ｗ１）の天井（Ｃ１）より前記床面に近い高さ位置に設置される空調室内機（３０、３０´、３０ａ）であって、
前記対象空間へ吹き出される空気流（ＡＦ）を生成する送風機（３２）と、
前記送風機を収容するとともに、吸込口（４２）及び吹出口（４１）を形成し、前記吹出口における前記空気流の吹出方向を上下に変化させる吹出方向調整フラップ（４５）を含むケーシング（４０、４０ａ）と、
前記対象空間における冷媒漏洩を検知する冷媒漏洩センサ（５５）と電気的に接続され、前記吹出方向調整フラップの動作を制御することで前記空気流の吹出方向を制御する制御部（３３、３３ａ）と、
を備え、
前記制御部は、前記冷媒漏洩センサが冷媒漏洩を検出した場合、前記空気流の吹出方向を水平方向より上向きの第１方向（ｄｒ２）に制御する、
を備える空調室内機（３０、３０´、３０ａ）。
【請求項２】
前記吹出口は、前記ケーシングの中央よりも高い位置に形成され、
前記ケーシングは、前記吹出口よりも低い位置に形成される第２吹出口（４３）をさらに形成され、前記第２吹出口の開閉を切り換える第２吹出口開閉部（８０）をさらに含み、
前記制御部は、前記第２吹出口開閉部の動作を制御し、前記冷媒漏洩センサが冷媒漏洩を検出した場合には前記第２吹出口開閉部によって前記第２吹出口を閉じさせる、
請求項１に記載の空調室内機（３０ａ）。
【請求項３】
前記制御部は、前記冷媒漏洩センサが冷媒漏洩を検出した場合、前記吹出方向調整フラップの姿勢を、前記空気流の吹出方向が最も上向きになる状態とさせる、
請求項１又は２に記載の空調室内機（３０、３０´、３０ａ）。
【請求項４】
前記制御部は、前記冷媒漏洩センサが冷媒漏洩を検出してから所定時間（ｔ１）が経過した後には、前記吹出方向調整フラップを継続的に動作させて前記空気流の吹出方向を連続的に変化させる、
請求項１から３のいずれか１項に記載の空調室内機（３０、３０´、３０ａ）。
【請求項５】
前記吸込口は、前記吹出口よりも低い位置に形成される、
請求項１から４のいずれか１項に記載の空調室内機（３０、３０´、３０ａ）。
【請求項６】
前記ケーシング内に配置される前記冷媒漏洩センサをさらに備える、
請求項１から５のいずれか１項に記載の空調室内機（３０、３０´、３０ａ）。
【発明の詳細な説明】
【技術分野】
【０００１】
本発明は、空調室内機に関する。
【背景技術】
【０００２】
従来、対象空間にされ冷媒回路を構成する空調室内機であって、対象空間に漏洩した冷媒（漏洩冷媒）を検知する冷媒漏洩センサを有し、冷媒漏洩が生じた場合には漏洩冷媒を拡散させるべく送風機を強制運転させる空調室内機が提案されている。例えば、特許文献１（特開２０１２−１３３４８号公報）に開示される空調室内機では、対象空間の温度分布状況を検知する温度センサを有し、冷媒漏洩センサが冷媒漏洩を検知した場合には、送風機を駆動させるとともに、高温領域における漏洩冷媒の滞留等を抑制すべく高温領域以外の領域へ風向を調整するように構成されている。
【発明の概要】
【発明が解決しようとする課題】
【０００３】
しかし、特許文献１によると、空調室内機の種類及び冷媒の種類によっては漏洩冷媒が適正に拡散されず、保安性が十分に担保されないケースが想定される。例えば、空調室内機が対象空間の床面又は床面近傍に配置される場合において、空気より比重が大きい冷媒が漏洩した際には、高温領域以外の領域へ風向を調整するのみでは、対象空間の床面付近に漏洩冷媒が滞留してその濃度が大きくなることも考えられる。この際、漏洩冷媒が、例えばＲ３２のような微燃性の冷媒、プロパンのような燃焼性を有する冷媒、又は、アンモニアのような毒性を有する冷媒である時には、保安性が担保されない。
【０００４】
そこで、本発明の課題は、保安性に優れた空調室内機を提供することである。
【課題を解決するための手段】
【０００５】
本発明の第１観点に係る空調室内機は、対象空間の、床面、又は側壁の天井より床面に近い高さ位置に設置される空調室内機であって、送風機と、ケーシングと、制御部と、を備える。送風機は、対象空間へ吹き出される空気流、を生成する。ケーシングは、送風機を収容する。ケーシングは、吸込口及び吹出口を形成する。ケーシングは、吹出方向調整フラップを含む。吹出方向調整フラップは、吹出口における空気流の吹出方向を、上下に変化させる。制御部は、冷媒漏洩センサと電気的に接続される。冷媒漏洩センサは、対象空間における冷媒漏洩を検知する。制御部は、吹出方向調整フラップの動作を制御することで、空気流の吹出方向を制御する。制御部は、冷媒漏洩センサが冷媒漏洩を検出した場合、空気流の吹出方向を、第１方向に制御する。第１方向は、水平方向より上向きである。
【０００６】
本発明の第１観点に係る空調室内機では、制御部は、冷媒漏洩センサが冷媒漏洩を検出した場合、空気流の吹出方向を、水平方向より上向きである第１方向に制御する。これにより、対象空間において冷媒漏洩が生じた場合には、床面又は側壁の天井より床面に近い高さ位置に設置される空調室内機において、漏洩冷媒が空気流として吸入された後、吹出口から水平方向より上向きに吹き出される。特に、空気よりも比重が大きい漏洩冷媒は、床面付近に滞留しやすいところ、壁掛けや天井埋込み型の室内機よりも低い高さ位置に設置される空調室内機において、漏洩冷媒が吸込口から取り込まれて水平方向より上向きに吹き出される。その結果、床面付近に存在する漏洩冷媒は、上方へと拡散され、床面付近に滞留することが抑制される。このため、空気よりも比重が大きい冷媒が漏洩した場合であっても、対象空間全体において漏洩冷媒が均一に拡散されやすく、特定部分において漏洩冷媒の濃度が高まることが抑制される。よって、床面又は側壁の天井より床面に近い高さ位置に設置される空調室内機において、空気よりも比重が大きい冷媒を使用する場合であっても、冷媒漏洩に対する保安性が確保される。
【０００７】
なお、ここでの「冷媒回路」において使用される冷媒は、特に限定されないが、例えば、Ｒ３２のような微燃性の冷媒、又は、プロパンのような燃焼性を有する冷媒、又は、アンモニアのような毒性を有する冷媒が想定される。
【０００８】
本発明の第２観点に係る空調室内機は、第１観点に係る空調室内機であって、吹出口は、ケーシングの中央よりも高い位置に形成される。ケーシングは、第２吹出口をさらに形成される。第２吹出口は、吹出口よりも低い位置に形成される。ケーシングは、第２吹出口開閉部をさらに含む。第２吹出口開閉部は、第２吹出口の開閉を切り換える。制御部は、第２吹出口開閉部の動作を制御する。制御部は、冷媒漏洩センサが冷媒漏洩を検出した場合には、第２吹出口開閉部によって第２吹出口を閉じさせる。これにより、上下に吹出口を形成された空調室内機において、空気よりも比重が大きい冷媒の漏洩が生じた場合であっても、床面付近に存在する漏洩冷媒が上方へと拡散され、対象空間全体において漏洩冷媒が均一に拡散されやすく、特定部分において漏洩冷媒の濃度が高まることが抑制される。
【０００９】
なお、ここでの「第２吹出口開閉部」には、第２吹出口を開閉するダンパや、吹出方向を調整する機能を有するフラップ等が含まれる。
【００１０】
本発明の第３観点に係る空調室内機は、第１観点又は第２観点に係る空調室内機であって、制御部は、冷媒漏洩センサが冷媒漏洩を検出した場合、吹出方向調整フラップの姿勢を、空気流の吹出方向が最も上向きになる状態とさせる。これにより、床面付近に存在する漏洩冷媒は、上方へと効果的に拡散される。その結果、漏洩冷媒の拡散効果がさらに大きくなる。
【００１１】
本発明の第４観点に係る空調室内機は、第１観点から第３観点のいずれかに係る空調室内機であって、制御部は、冷媒漏洩センサが冷媒漏洩を検出してから所定時間が経過した後には、吹出方向調整フラップを継続的に動作させて、空気流の吹出方向を連続的に変化させる。これにより、漏洩冷媒が、上方へと拡散された後、対象空間全体へと均一に拡散され、特定部分においてその濃度が高まることがさらに抑制される。よって、冷媒漏洩に対する保安性がさらに確実に担保される。
【００１２】
本発明の第５観点に係る空調室内機は、第１観点から第４観点のいずれかに係る空調室内機であって、吸込口は、吹出口よりも低い位置に形成される。これにより、床面付近に存在する漏洩冷媒は、吸込口からさらに取り込まれやすくなる。よって、漏洩冷媒の拡散効果がさらに大きくなる。
【００１３】
本発明の第６観点に係る空調室内機は、第１観点から第５観点のいずれかに係る空調室内機であって、冷媒漏洩センサをさらに備える。冷媒漏洩センサは、ケーシング内に配置される。これにより、ケーシング内に配置される配管等からの冷媒漏洩を迅速に検出することが可能となる。
【発明の効果】
【００１４】
本発明の第１観点に係る空調室内機では、床面又は側壁の天井より床面に近い高さ位置に設置される空調室内機において、空気よりも比重が大きい冷媒を使用する場合であっても、冷媒漏洩に対する保安性が確保される。
【００１５】
本発明の第２観点に係る空調室内機では、上下に吹出口を形成された空調室内機において、空気よりも比重が大きい冷媒の漏洩が生じた場合であっても、床面付近に存在する漏洩冷媒が上方へと拡散され、対象空間全体において漏洩冷媒が均一に拡散されやすく、特定部分において漏洩冷媒の濃度が高まることが抑制される。
【００１６】
本発明の第３観点に係る空調室内機では、漏洩冷媒の拡散効果がさらに大きくなる。
【００１７】
本発明の第４観点に係る空調室内機では、冷媒漏洩に対する保安性がさらに確実に担保される。
【００１８】
本発明の第５観点に係る空調室内機では、漏洩冷媒の拡散効果がさらに大きくなる。
【００１９】
本発明の第６観点に係る空調室内機では、ケーシング内に配置される配管等からの冷媒漏洩を迅速に検出することが可能となる。
【図面の簡単な説明】
【００２０】
【図１】本発明の第１実施形態に係る室内ユニットを有する空気調和機の概略構成図。
【図２】本発明の第１実施形態に係る室内ユニットの外観斜視図。
【図３】対象空間における室内ユニットの配置態様を示した模式図。
【図４】フラップの回動によって吹出口が開閉する様子を示した模式図。
【図５】運転時にフラップが回動して空気流が下方向に吹き出される様子を示した模式図。
【図６】運転時にフラップが回動して空気流が上方向に吹き出される様子を示した模式図。
【図７】室内ユニット制御部の構成と、室内ユニット制御部に接続される機器を概略的に示したブロック図。
【図８】本発明の第１実施形態に係る室内ユニット制御部の処理の流れの一例を示したフローチャート。
【図９】変形例１Ａに係る室内ユニットの、対象空間における配置態様を示した模式図。
【図１０】本発明の第２実施形態に係る室内ユニットの外観斜視図。
【図１１】ダンパの回動によって下吹出口が開閉する様子を示した模式図。
【図１２】本発明の第２実施形態に係る室内ユニット制御部の構成と、室内ユニット制御部に接続される機器を概略的に示したブロック図。
【図１３】本発明の第２実施形態に係る室内ユニット制御部の処理の流れの一例を示したフローチャート。
【発明を実施するための形態】
【００２１】
〈第１実施形態〉
以下、本発明の第１実施形態に係る室内ユニット３０について説明する。なお、以下の実施形態は、本発明の具体例であって、本発明の技術的範囲を限定するものではなく、本発明の趣旨を逸脱しない範囲で適宜変更可能である。また、以下の実施形態において、上、下、左、右、正面（前）又は背面（後）といった方向は、図２から図６、及び図９に示す方向を意味する。
【００２２】
（１）空気調和機１００
室内ユニット３０は、空気調和機１００に適用されている。図１は、室内ユニット３０を有する空気調和機１００の概略構成図である。
【００２３】
空気調和機１００は、家屋等の屋内に含まれる対象空間ＳＰにおいて冷房や暖房等の空気調和を実現する装置である。空気調和機１００は、冷媒回路ＲＣを含み、冷媒回路ＲＣにおいて冷媒を循環させて蒸気圧縮方式の冷凍サイクルを行うことにより、対象空間ＳＰの冷房又は暖房を行う。空気調和機１００は、主として、熱源ユニットとしての室外ユニット１０と、利用ユニットとしての室内ユニット３０と、入力装置としてのリモコン５０と、冷媒漏洩センサ５５と、冷媒漏洩報知部５８と、を備えている。
【００２４】
空気調和機１００では、室外ユニット１０と、室内ユニット３０と、がガス連絡配管ＧＰ及び液連絡配管ＬＰで接続されることで冷媒回路ＲＣが構成されている。冷媒回路ＲＣには、冷媒として、例えば、Ｒ３２のような微燃性を有する冷媒、プロパンのような燃焼性を有する冷媒、又は、アンモニアのような毒性を有する冷媒が封入されている。
【００２５】
（１−１）室外ユニット１０
室外ユニット１０は、室外（対象空間ＳＰ外）に設置される。室外ユニット１０は、主として、複数の冷媒配管（第１配管Ｐ１〜第６配管Ｐ６）と、圧縮機１１と、四路切換弁１２と、室外熱交換器１３と、膨張弁１４と、室外ファン１５と、室外ユニット制御部１６と、を有している。
【００２６】
第１配管Ｐ１は、ガス連絡配管ＧＰと四路切換弁１２とを接続する冷媒配管である。第２配管Ｐ２は、四路切換弁１２と圧縮機１１の吸入ポート（図示省略）とを接続する吸入配管である。第３配管Ｐ３は、圧縮機１１の吐出ポート（図示省略）と四路切換弁１２とを接続する吐出配管である。第４配管Ｐ４は、四路切換弁１２と室外熱交換器１３のガス側とを接続する冷媒配管である。第５配管Ｐ５は、室外熱交換器１３の液側と膨張弁１４とを接続する冷媒配管である。第６配管Ｐ６は、膨張弁１４と液連絡配管ＬＰとを接続する冷媒配管である。
【００２７】
圧縮機１１は、低圧のガス冷媒を吸入し、圧縮して吐出する機構である。圧縮機１１は、圧縮機モータ１１ａを内蔵された密閉式の構造を有している。圧縮機１１では、圧縮機ケーシング（図示省略）内に収容されたロータリ式やスクロール式等の圧縮要素（図示省略）が、圧縮機モータ１１ａを駆動源として駆動される。圧縮機モータ１１ａは、運転中、インバータ制御され、状況に応じて回転数を調整される。圧縮機１１は、駆動時に、吸入ポートから冷媒を吸入し、圧縮後、吐出ポートから吐出する。
【００２８】
四路切換弁１２は、冷媒回路ＲＣにおいて冷媒の流れる方向を切り換えるための切換弁である。四路切換弁１２は、第１配管Ｐ１、第２配管Ｐ２、第３配管Ｐ３及び第４配管Ｐ４と個別に接続されている。四路切換弁１２は、冷房運転時には、第１配管Ｐ１と第２配管Ｐ２とが接続されるとともに、第３配管Ｐ３と第４配管Ｐ４とが接続されるように、流路を切り換える（図１の四路切換弁１２の実線を参照）。また、四路切換弁１２は、暖房運転時には、第１配管Ｐ１と第３配管Ｐ３とが接続されるとともに、第２配管Ｐ２と第４配管Ｐ４とが接続されるように、流路を切り換える（図１の四路切換弁１２の破線を参照）。
【００２９】
室外熱交換器１３は、冷房運転時には冷媒の凝縮器又は放熱器として機能し、暖房運転時には冷媒の蒸発器として機能する熱交換器である。室外熱交換器１３は、冷媒が流れる伝熱管（図示省略）と、伝熱面積を増大する伝熱フィン（図示省略）と、を含む。室外熱交換器１３は、運転時において、伝熱管内の冷媒と、室外ファン１５によって生成される空気流と、が熱交換可能なように配置されている。
【００３０】
膨張弁１４は、開度調整が可能な電動弁である。膨張弁１４は、運転時には状況に応じて開度を適宜調整され、開度に応じて冷媒を減圧する。
【００３１】
室外ファン１５は、例えばプロペラファンである。室外ファン１５は、室外ファンモータ１５ａの出力軸に接続されており、室外ファンモータ１５ａに連動して駆動する。室外ファン１５は、駆動すると、外部から室外ユニット１０内に流入し室外熱交換器１３を通過してから室外ユニット１０外へ流出する空気流を生成する。
【００３２】
室外ユニット制御部１６は、ＣＰＵやメモリ等で構成されるマイクロコンピュータである。室外ユニット制御部１６は、室外ユニット１０における各アクチュエータの動作を制御する。室外ユニット制御部１６は、室内ユニット３０の室内ユニット制御部３３（後述）と、通信線を介して接続されており、相互に信号の送受信を行う。
【００３３】
（１−２）室内ユニット３０
本実施形態において、室内ユニット３０は、対象空間ＳＰの床面Ｆ１に設置される床置き型の空調室内機である。室内ユニット３０は、室外ユニット１０とともに冷媒回路ＲＣを構成している。室内ユニット３０は、主として、室内熱交換器３１と、室内ファン３２（特許請求の範囲記載の「送風機」に相当）と、室内ユニット制御部３３と、を有している。
【００３４】
室内熱交換器３１は、冷房運転時には冷媒の蒸発器として機能し、暖房運転時には冷媒の凝縮器又は放熱器として機能する熱交換器である。室内熱交換器３１は、いわゆるクロス・フィン・チューブ熱交換器である。室内熱交換器３１は、ガス側がガス連絡配管ＧＰまで延びる冷媒配管に接続されるとともに、液側が液連絡配管ＬＰまで延びる冷媒配管に接続されている。室内熱交換器３１は、運転時において、伝熱管（図示省略）内の冷媒と、室内ファン３２によって生成される空気流ＡＦ（後述）と、が熱交換可能なように配置されている。
【００３５】
室内ファン３２は、例えばターボファン、シロッコファン、クロスフローファン又はプロペラファン等の送風機である。室内ファン３２は、室内ファンモータ３２ａの出力軸に接続されている。室内ファン３２は、室内ファンモータ３２ａに連動して駆動する。室内ファン３２は、駆動すると、室内ユニット３０内に吸い込まれて室内熱交換器３１を通過した後に対象空間ＳＰへと吹き出される空気流ＡＦを生成する。
【００３６】
室内ユニット制御部３３は、ＣＰＵやメモリ等で構成されるマイクロコンピュータである。室内ユニット制御部３３は、室内ユニット３０におけるアクチュエータの動作を制御する。室内ユニット制御部３３は、室外ユニット制御部１６と、信号の送受信を行う。また、室内ユニット制御部３３は、リモコン５０と無線通信を行う。また、室内ユニット制御部３３は、冷媒漏洩センサ５５及び冷媒漏洩報知部５８と、電気的に接続されており、信号の送受信を行う。
【００３７】
なお、室内ユニット３０の詳細、及び室内ユニット制御部３３の詳細については、後述する。
【００３８】
（１−３）リモコン５０
リモコン５０は、ＣＰＵやメモリ等で構成されるマイクロコンピュータを含むリモコン制御部（図示省略）と、空気調和機１００へのコマンドを入力するための入力キーを含むリモコン入力部（図示省略）と、を有するユーザインターフェースである。
【００３９】
リモコン５０は、室内ユニット３０の室内ユニット制御部３３と、赤外線や電波を用いて無線通信を行う。リモコン５０は、ユーザや管理者によってリモコン入力部へコマンドを入力されると、入力されたコマンドに応じて、所定の信号を室内ユニット制御部３３に対し送信する。
【００４０】
（１−４）冷媒漏洩センサ５５
冷媒漏洩センサ５５は、対象空間ＳＰに配置されて、対象空間ＳＰにおける冷媒漏洩を検知するためのセンサである。本実施形態では、冷媒漏洩センサ５５は、公知の汎用品が用いられる。本実施形態において、冷媒漏洩センサ５５は、室内ユニット３０のケーシング４０（後述）内に配置されている（図２及び図３を参照）。
【００４１】
冷媒漏洩センサ５５は、室内ユニット３０の室内ユニット制御部３３と電気的に接続されている。冷媒漏洩センサ５５は、漏洩した冷媒（漏洩冷媒）を検出すると、冷媒漏洩が生じている旨を示す電気信号（以下、「冷媒漏洩信号」と記載）を、室内ユニット制御部３３に出力する。
【００４２】
（１−５）冷媒漏洩報知部５８
冷媒漏洩報知部５８は、対象空間ＳＰにおいて冷媒漏洩が生じた際に、ユーザに報知するための出力部である。本実施形態において、冷媒漏洩報知部５８は、所定電圧を供給されることで点灯する発光部であり、例えばＬＥＤライト等である。冷媒漏洩報知部５８は、室内ユニット３０においてケーシング４０の正面側の上部に配置されている。
【００４３】
（２）空気調和機１００の各運転
空気調和機１００においては、リモコン５０に運転開始コマンドが入力されると、四路切換弁１２が運転モードに応じて所定の状態に切り換えられ、圧縮機１１、室外ファン１５及び室内ファン３２が起動し、膨張弁１４が適切な開度で開けられる。
【００４４】
（２−１）冷房運転
冷房運転時には、四路切換弁１２が冷房サイクル状態（図１の四路切換弁１２の実線で示された状態）に切り換えられる。係る状態で各アクチュエータが起動すると、冷媒が、第２配管Ｐ２を介して圧縮機１１に吸入され、圧縮される。圧縮機１１から吐出された冷媒は、第３配管Ｐ３、四路切換弁１２、及び第４配管Ｐ４を通過して室外熱交換器１３に流入する。室外熱交換器１３に流入した冷媒は、室外ファン１５が生成する空気流と熱交換して凝縮する。室外熱交換器１３から流出した冷媒は、第５配管Ｐ５を通過して膨張弁１４に流入する。膨張弁１４に流入した冷媒は、膨張弁１４の開度に応じて減圧される。膨張弁１４から流出した冷媒は、第６配管Ｐ６及び液連絡配管ＬＰを通過して室内ユニット３０に流入する。
【００４５】
室内ユニット３０に流入した冷媒は、室内熱交換器３１に流入し、室内ファン３２によって生成される空気流ＡＦと熱交換して蒸発する。室内熱交換器３１から流出した冷媒は、ガス連絡配管ＧＰを通過して室外ユニット１０に流入する。
【００４６】
室外ユニット１０に流入した冷媒は、第１配管Ｐ１、四路切換弁１２、及び第２配管Ｐ２を通過して、再び圧縮機１１に吸入されて圧縮される。
【００４７】
（２−２）暖房運転
暖房運転時には、四路切換弁１２が暖房サイクル状態（図１の四路切換弁１２の破線で示された状態）に切り換えられる。係る状態で各アクチュエータが起動すると、冷媒が、第２配管Ｐ２を介して圧縮機１１に吸入され、圧縮される。圧縮機１１から吐出された冷媒は、第３配管Ｐ３、四路切換弁１２、第１配管Ｐ１、及びガス連絡配管ＧＰを通過して室内ユニット３０に流入する。
【００４８】
室内ユニット３０に流入した冷媒は、室内熱交換器３１に流入し、室内ファン３２が生成する空気流ＡＦと熱交換して凝縮する。室内熱交換器３１から流出した冷媒は、液連絡配管ＬＰを通過して室外ユニット１０に流入する。
【００４９】
室外ユニット１０に流入した冷媒は、第６配管Ｐ６を通過して膨張弁１４に流入する。膨張弁１４に流入した冷媒は、膨張弁１４の開度に応じて減圧される。膨張弁１４から流出した冷媒は、室外熱交換器１３に流入する。室外熱交換器１３に流入した冷媒は、室外ファン１５によって生成される空気流と熱交換して蒸発する。室外熱交換器１３から流出した冷媒は、第４配管Ｐ４、四路切換弁１２、及び第２配管Ｐ２を通過して、再び圧縮機１１に吸入されて圧縮される。
【００５０】
（３）室内ユニット３０の詳細
図２は、室内ユニット３０の外観斜視図である。図３は、対象空間ＳＰにおける室内ユニット３０の配置態様を示した模式図である。
【００５１】
室内ユニット３０は、略直方体状の外郭を構成するケーシング４０を有している。室内ユニット３０は、ケーシング４０内に、室内熱交換器３１や室内ファン３２等の機器を収容されている。
【００５２】
室内ユニット３０は、対象空間ＳＰの床面Ｆ１上に配置されている。より詳細には、室内ユニット３０は、ケーシング４０の底面部が床面Ｆ１に隣接するとともにケーシング４０の背面部が側壁Ｗ１に隣接する態様で、配置されている。
【００５３】
室内ユニット３０は、ケーシング４０に、室内ファン３２が生成する空気流ＡＦの吹出口として機能する開口（以下、「吹出口４１」と称する）と、吸込口として機能する複数の開口（以下、「吸込口４２」と称する）と、を形成されている。すなわち、室内ユニット３０は、吹出口４１及び吸込口４２を形成するように構成されたケーシング４０を有している。
【００５４】
具体的に、吹出口４１は、ケーシング４０の正面部４０１において、ケーシング４０の中央よりも高い位置に形成されている。
【００５５】
吸込口４２には、ケーシング４０の正面部４０１に形成される正面吸込口４２ａと、ケーシング４０の正面部４０１と背面部とを繋ぐ左右の側面部４０２に形成される側面吸込口４２ｂと、が含まれる。複数の正面吸込口４２ａ、及び複数の側面吸込口４２ｂは、ケーシング４０の所定の位置において、上下方向及び水平方向（左右方向又は前後方向）に列を成すように形成されている。より詳細には、正面吸込口４２ａは、ケーシング４０の幅方向に長い長方形状を呈しており、ケーシング４０の中央よりも上方であって吹出口４１よりも下方の高さ位置において、複数形成されている。また、側面吸込口４２ｂは、ケーシング４０の上下方向に長い長方形状を呈しており、吹出口４１よりも下方の高さ位置において、側面部４０２の上部から下部にかけて複数形成されている。
【００５６】
室内ユニット３０は、吹出口４１の開閉を切り換えるとともに吹出口４１における空気流ＡＦの吹出方向を調整するフラップ４５と、フラップ４５を回動させるための回転軸４６と、を有している。
【００５７】
フラップ４５（特許請求の範囲記載の「吹出方向調整フラップ」に相当）は、ケーシング４０の一部を構成している。フラップ４５は、回転軸４６に機械的に接続されている。フラップ４５は、回転軸４６の回転に伴い、所定の角度範囲で上下方向に回動する。フラップ４５の動作は、室内ユニット制御部３３によって制御される。
【００５８】
図４は、フラップ４５の回動によって吹出口４１が開閉する様子を示した模式図である。図５は、運転時にフラップ４５が回動して空気流ＡＦが方向ｄｒ１に吹き出される様子を示した模式図である。図６は、運転時にフラップ４５が回動して空気流ＡＦが方向ｄｒ２に吹き出される様子を示した模式図である。
【００５９】
フラップ４５は、空気調和機１００の停止時には、その正面側下端部が最も下向きとなる角度（停止角度）に設定され、吹出口４１を閉じる（図４参照）。フラップ４５は、空気調和機１００の運転時には、上向きに回動されて吹出口４１を開放するとともに、空気流ＡＦの吹出方向に応じた姿勢となるように角度を適宜制御される。具体的に、フラップ４５は、空気調和機１００の運転時には、上下方向に回動されることで、空気流ＡＦの吹出方向を上下に変化させる。
【００６０】
本実施形態において、フラップ４５は、空気調和機１００の運転時には、図５に示すように空気流ＡＦの吹出方向が水平方向ｈ１より下向きの方向ｄｒ１となる角度（下向吹出角度）から、図６に示すように吹出方向が水平方向ｈ１より上向きの方向ｄｒ２（特許請求の範囲記載の「第１方向」に相当）となる角度（上向吹出角度）までの範囲を回動可能である。
【００６１】
回転軸４６は、フラップ駆動モータ４７（図７参照）の出力軸に機械的に接続されており、フラップ駆動モータ４７の駆動に連動して回転する。
【００６２】
室内ユニット３０は、ケーシング４０の正面部４０１の上部（より詳細には吹出口４１の左側）に開口を形成されており、当該開口を介して冷媒漏洩報知部５８が露出している。
【００６３】
室内ユニット３０は、ケーシング４０の底部付近において冷媒漏洩センサ５５を収容している。このように冷媒漏洩センサ５５がケーシング４０の底部付近に配置されていることで、Ｒ３２のような空気より比重が大きい冷媒がケーシング４０内で漏洩した場合に、漏洩冷媒が迅速に検知されるようになっている。
【００６４】
（４）室内ユニット制御部３３の詳細
図７は、室内ユニット制御部３３の構成と、室内ユニット制御部３３に接続される機器を概略的に示したブロック図である。
【００６５】
室内ユニット制御部３３は、主として、室内ファンモータ３２ａ、フラップ駆動モータ４７等のアクチュエータと電気的に接続されている。また、室内ユニット制御部３３は、冷媒漏洩センサ５５や、図示しない各種センサ（対象空間ＳＰ内の温度等を検出する温度センサ等）と電気的に接続されている。また、室内ユニット制御部３３は、冷媒漏洩報知部５８等の出力部と、電気的に接続されている。
【００６６】
室内ユニット制御部３３は、主として、記憶部６１と、入力制御部６２と、通信制御部６３と、室内ファン制御部６４と、風向制御部６５と、報知制御部６６と、を含んでいる。
【００６７】
（４−１）記憶部６１
記憶部６１は、ＲＯＭ、ＲＡＭ、及びフラッシュメモリ等で構成されている。記憶部６１は、各種情報を記憶するための揮発性又は不揮発性の記憶領域を含んでいる。記憶部６１には、室内ユニット制御部３３における各部の処理に用いられるプログラムが格納されている。
【００６８】
記憶部６１は、リモコン５０等を介してユーザや管理者によって入力されたコマンドに基づき特定される各種設定項目（発停、運転モード、設定温度、設定風量、風向等）、を判別するためのコマンド判別フラグＦＬ１を含んでいる。コマンド判別フラグＦＬ１は、各設定項目に応じたビット数を含んでいる。
【００６９】
また、記憶部６１は、冷媒漏洩センサ５５の検出結果（すなわち、対象空間ＳＰにおける冷媒漏洩の有無）を判別するための冷媒漏洩判別フラグＦＬ２を含んでいる。冷媒漏洩判別フラグＦＬ２は、冷媒漏洩センサ５５から冷媒漏洩信号を受信した場合（すなわち、対象空間ＳＰにおいて冷媒漏洩が生じた場合）に立てられる。
【００７０】
また、記憶部６１は、その他の各種センサ（例えば対象空間ＳＰの温度を検出する温度センサ等）の検出結果を判別するための状況判別フラグＦＬ３を含んでいる。状況判別フラグＦＬ３は、各種センサから出力される情報の数に応じたビット数を含んでいる。
【００７１】
（４−２）入力制御部６２
入力制御部６２は、リモコン５０から送信されたコマンド情報を受けて、コマンドに対応するようにコマンド判別フラグＦＬ１を立てる。また、入力制御部６２は、冷媒漏洩センサ５５から冷媒漏洩信号を受信した場合、冷媒漏洩判別フラグＦＬ２を立てる。また、入力制御部６２は、他の各種センサから送信された信号を受信して、状況判別フラグＦＬ３の対応するビットを立てる。
【００７２】
（４−３）通信制御部６３
通信制御部６３は、室外ユニット制御部１６と、信号の送受信を行う機能部である。通信制御部６３は、室外ユニット制御部１６から送信された信号を受信して、記憶部６１の所定の記憶領域に格納する。また、通信制御部６３は、状況に応じて、所定の信号を生成して室外ユニット制御部１６に対して送信する。例えば、通信制御部６３は、リモコン５０を介して運転開始や設定項目の決定に係るコマンドが入力されると、当該コマンドに対応する信号を室外ユニット制御部１６に対して送信する。また、通信制御部６３は、冷媒漏洩判別フラグＦＬ２が立てられた場合（すなわち、対象空間ＳＰにおいて冷媒漏洩が生じた場合）、冷媒漏洩が生じていることを通知するための信号（冷媒漏洩通知信号）を、室外ユニット制御部１６に対して送信する。
【００７３】
（４−４）室内ファン制御部６４
室内ファン制御部６４は、室内ファン３２（室内ファンモータ３２ａ）の発停及び回転数を制御する。室内ファン制御部６４は、コマンド判別フラグＦＬ１を適宜参照し、コマンド情報に基づいて、室内ファン３２（室内ファンモータ３２ａ）の発停及び回転数を、状況に応じて制御する。
【００７４】
例えば、室内ファン制御部６４は、リモコン５０等を介して、運転開始コマンドが入力されると、設定風量に基づいた回転数で室内ファン３２を駆動させる。また、室内ファン制御部６４は、運転時及び停止時に関わらず、冷媒漏洩判別フラグＦＬ２が立てられると、室内ファン３２を最大回転数で駆動させ、冷媒漏洩判別フラグＦＬ２が解除されるまで当該状態を継続させる。これにより、対象空間ＳＰにおいて冷媒漏洩が生じた場合には、最大風量の空気流ＡＦが対象空間ＳＰへ吹き出される。
【００７５】
（４−５）風向制御部６５
風向制御部６５は、制御プログラムに沿って、各フラグ（ＦＬ１、ＦＬ２、ＦＬ３）を適宜参照し、フラップ４５（フラップ駆動モータ４７）の動作を状況に応じて制御する機能部である。風向制御部６５は、フラップ４５の動作を制御することで、吹出口４１の開閉、及び空気流ＡＦの吹出方向を制御する。
【００７６】
風向制御部６５は、停止時には、フラップ４５を停止角度（図４参照）に設定して吹出口４１を閉じさせる。また、風向制御部６５は、運転時には、状況判別フラグＦＬ３に基づき、コマンド情報において特定される設定風向に沿った方向に空気流ＡＦが吹き出されるように、フラップ４５を回動させる。
【００７７】
また、風向制御部６５は、運転時及び停止時に関わらず、冷媒漏洩判別フラグＦＬ２が立てられると、フラップ４５を上向吹出角度に設定し、空気流ＡＦの吹出方向を方向ｄｒ２（水平方向ｈ１より上向き）とさせる。これにより、対象空間ＳＰにおいて冷媒漏洩が生じた場合には、空気流ＡＦが水平方向ｈ１より上向きに吹き出される。本実施形態において、風向制御部６５は、冷媒漏洩判別フラグＦＬ２が立てられると、フラップ４５を、回動可能範囲の上限まで上向きに設定して、空気流ＡＦを可能な限り上方へと吹き出させる。
【００７８】
また、風向制御部６５は、冷媒漏洩判別フラグＦＬ２が立てられてから所定時間ｔ１が経過すると、フラップ４５を、継続的に上下に回動させ上向吹出角度と下向吹出角度とを往復させることで、空気流ＡＦの吹出方向を、連続的に上下に変化（スイング）させる。本実施形態において所定時間ｔ１は、３ｍｉｎに設定されている。なお、風向制御部６５は、時間をカウント可能に構成されている。
【００７９】
（４−６）報知制御部６６
報知制御部６６は、制御プログラムに沿って、冷媒漏洩判別フラグＦＬ２を適宜参照し、冷媒漏洩報知部５８の動作を状況に応じて制御する機能部である。報知制御部６６は、冷媒漏洩判別フラグＦＬ２が立てられると、冷媒漏洩報知部５８に所定の駆動電圧を供給し、冷媒漏洩報知部５８を点灯させる。
【００８０】
（５）室内ユニット制御部３３の処理の流れ
図８は、室内ユニット制御部３３の処理の流れの一例を示したフローチャートである。室内ユニット制御部３３は、電源を投入されると、例えば以下のような流れで処理を実行する。なお、以下の処理の流れは、一例であり、適宜変更が可能である。
【００８１】
ステップＳ１０１において、室内ユニット制御部３３は、ユーザによってコマンド（発停、運転モード、設定温度、設定風量、又は設定風向等を切り換えるコマンド）が新たに入力されたか否かを判定する。当該判定がＮＯの場合（すなわち、コマンドが新たに入力されない場合）には、ステップＳ１０３へ進む。一方、当該判定がＹＥＳの場合（すなわち、コマンドが新たに入力された場合）には、ステップＳ１０２へ進む。
【００８２】
ステップＳ１０２において、室内ユニット制御部３３は、ユーザによって入力されたコマンド情報において特定される各種設定項目（発停、運転モード、設定温度、設定風量、及び風向等）に基づき、各アクチュエータ（室内ファン３２、フラップ４５）の動作を制御する。また、図示は省略するが、室内ユニット制御部３３は、室外ユニット制御部１６に対して所定の信号を送信して、運転開始コマンドが入力されたことを通知する。その後、ステップＳ１０３へ進む。
【００８３】
ステップＳ１０３において、室内ユニット制御部３３は、冷媒漏洩センサ５５からの冷媒漏洩信号があるか（すなわち、対象空間ＳＰにおいて冷媒漏洩が生じているか）否かを判定する。当該判定がＮＯの場合（すなわち、対象空間ＳＰにおいて冷媒漏洩が生じていない場合）には、ステップＳ１０１に戻る。一方、当該判定がＹＥＳの場合（すなわち、対象空間ＳＰにおいて冷媒漏洩が生じている場合）には、ステップＳ１０４へ進む。
【００８４】
ステップＳ１０４において、室内ユニット制御部３３は、冷媒漏洩が生じたことを受けて、冷媒漏洩報知部５８を点灯させる。これにより、対象空間ＳＰにおいて冷媒漏洩が生じていることをユーザが認識可能となる。
【００８５】
また、室内ユニット制御部３３は、室内ファン３２を最大回転数で駆動させるとともに、空気流ＡＦの吹出方向が最も上向きになる状態となるように、フラップ４５の姿勢を回動可能範囲の上限角度まで上向きに設定する。これにより、最大風量の空気流ＡＦが、吹出方向が最も上向きの状態で、対象空間ＳＰに吹き出される。
【００８６】
なお、係る制御は、床面Ｆ１に設置される室内ユニット３０においてＲ３２等の空気よりも比重が大きい冷媒を使用する場合であっても、冷媒漏洩時に対象空間ＳＰの特定部分において漏洩冷媒の濃度が高まることを抑制するために実行される。
【００８７】
すなわち、対象空間ＳＰにおいて冷媒漏洩が生じた場合には、床面Ｆ１に設置される室内ユニット３０において、漏洩冷媒が空気流ＡＦとして吸入された後、吹出口４１から水平方向ｈ１より上向きの方向ｄｒ１に吹き出される。特に、空気よりも比重が大きいＲ３２等の漏洩冷媒は、床面Ｆ１付近に滞留しやすいところ、壁掛けや天井埋込み型の室内機よりも低い高さ位置に設置される床置き型の室内ユニット３０において、漏洩冷媒が吸込口４２から取り込まれて水平方向ｈ１より上向きの方向ｄｒ１に吹き出される。その結果、床面Ｆ１付近に存在する漏洩冷媒は、上方へと拡散され、床面Ｆ１付近に滞留することが抑制される。このため、空気よりも比重が大きい冷媒が漏洩した場合であっても、対象空間ＳＰ全体において漏洩冷媒が均一に拡散されやすく、特定部分において漏洩冷媒の濃度が高まることが抑制される。
【００８８】
また、室内ユニット制御部３３は、冷媒漏洩通知信号を室外ユニット制御部１６に送信する。
【００８９】
なお、図示は省略するが、室外ユニット制御部１６は、冷媒漏洩通知信号を受けると、圧縮機１１及び室外ファン１５を停止するとともに、四路切換弁１２を冷房サイクル状態（図１に示す四路切換弁１２の実線で示す状態）に制御し、膨張弁１４を最小開度に制御する。その結果、冷媒回路ＲＣにおいて冷凍サイクル（冷媒の循環）が停止し、更なる冷媒漏洩が抑制される。
【００９０】
室内ユニット制御部３３は、ステップＳ１０４における各処理を実行後、ステップＳ１０５へ進む。
【００９１】
ステップＳ１０５において、室内ユニット制御部３３は、ステップＳ１０４の処理を実行後、所定時間ｔ１が経過したか否かを判定する。当該判定がＮＯの場合（すなわち、所定時間ｔ１が経過していない場合）、ステップＳ１０５において当該判定を繰り返す。一方、当該判定がＹＥＳの場合（すなわち、所定時間ｔ１が経過した場合）、ステップＳ１０６へ進む。
【００９２】
ステップＳ１０６において、室内ユニット制御部３３は、フラップ４５を、継続的に上下に回動させて、上向吹出角度と下向吹出角度とを往復させる。これにより、空気流ＡＦの吹出方向が継続的に上下に変化するスイング状態となる。これにより、対象空間ＳＰにおいて、冷媒漏洩が生じてから所定時間ｔ１が経過すると、床面Ｆ１付近から上方へと吹き出された漏洩冷媒が対象空間ＳＰ全体へと均一に拡散されるため、対象空間ＳＰの特定部分において漏洩冷媒の濃度が高まることがさらに抑制される。
【００９３】
その後、室内ユニット制御部３３は、サービスマン等によって解除されるまで当該状態を継続する。
【００９４】
（６）室内ユニット３０の特徴
（６−１）
室内ユニット３０では、室内ユニット制御部３３が、冷媒漏洩センサ５５が冷媒漏洩を検出した場合、空気流ＡＦの吹出方向を、水平方向ｈ１より上向きの方向ｄｒ２に制御している。これにより、空気よりも比重が大きい冷媒を使用する場合であっても、保安性が確保されるようになっている。
【００９５】
すなわち、従来の室内ユニット（空調室内機）が対象空間ＳＰの床面Ｆ１に配置される場合において、Ｒ３２のように空気より比重が大きい冷媒が漏洩した際には、対象空間ＳＰの床面Ｆ１付近に漏洩冷媒が滞留してその濃度が大きくなることも考えられ、保安性が確保されないケースも想定される。
【００９６】
この点、室内ユニット３０では、対象空間ＳＰにおいて冷媒漏洩が生じた場合には、漏洩冷媒が空気流ＡＦとして吸入された後、吹出口４１から水平方向ｈ１より上向きの方向ｄｒ２に吹き出されるように構成されている。特に、Ｒ３２のように空気よりも比重が大きい漏洩冷媒は、床面Ｆ１付近に滞留しやすいところ、吸込口４２から取り込まれて水平方向ｈ１より上向きに吹き出されるようになっている。その結果、床面Ｆ１付近に存在する漏洩冷媒は、上方へと拡散され、床面Ｆ１付近に滞留することが抑制されるようになっている。このため、空気よりも比重が大きい冷媒が漏洩した場合であっても、対象空間ＳＰ全体において漏洩冷媒が均一に拡散されやすく、対象空間ＳＰの特定部分において漏洩冷媒の濃度が高まることが抑制されている。よって、床面Ｆ１に設置される室内ユニット３０において、空気よりも比重が大きい冷媒を使用する場合であっても、冷媒漏洩に対する保安性が確保されている。
【００９７】
（６−２）
室内ユニット３０では、室内ユニット制御部３３は、冷媒漏洩センサ５５が冷媒漏洩を検出した場合、フラップ４５の姿勢を、空気流ＡＦの吹出方向が最も上向きになる状態とさせている。これにより、対象空間ＳＰにおいて冷媒漏洩が生じた際、床面Ｆ１付近に存在する漏洩冷媒は、上方へと効果的に拡散されるようになっている。その結果、漏洩冷媒の拡散効果が高められている。
【００９８】
（６−３）
室内ユニット３０では、室内ユニット制御部３３は、冷媒漏洩センサ５５が冷媒漏洩を検出してから所定時間ｔ１が経過した後には、フラップ４５を継続的に動作させて、空気流ＡＦの吹出方向を連続的に変化させている。これにより、漏洩冷媒が、上方へと拡散された後に、対象空間ＳＰ全体へと均一に拡散されるようになっており、対象空間ＳＰの特定部分においてその濃度が高まることが抑制されている。
【００９９】
（６−４）
室内ユニット３０では、ケーシング４０において、吸込口４２は、吹出口４１よりも低い高さ位置に形成されている。これにより、床面Ｆ１付近に存在する漏洩冷媒が、吸込口４２から取り込まれやすいようになっている。その結果、漏洩冷媒の拡散効果が高められている。
【０１００】
（６−５）
室内ユニット３０では、ケーシング４０内に冷媒漏洩センサ５５が配置されている。これにより、ケーシング４０内において冷媒配管等から冷媒漏洩が生じた場合であっても、漏洩冷媒を迅速に検出できるようになっている。
【０１０１】
（７）変形例
上記実施形態は、以下の変形例に示すように適宜変形が可能である。なお、各変形例は、矛盾が生じない範囲で他の変形例と組み合わせて適用されてもよい。
【０１０２】
（７−１）変形例１Ａ
上記実施形態では、室内ユニット３０は、対象空間ＳＰの床面Ｆ１に設置される床置き型が採用されていた。しかし、室内ユニット３０は、必ずしも床置き型である必要はない。例えば、室内ユニット３０は、図９に示す室内ユニット３０´のように、対象空間ＳＰの側壁Ｗ１の天井Ｃ１より床面Ｆ１に近い高さ位置に設置される、いわゆる地袋設置型又は側壁埋込型であってもよい。また、図示は省略するが、室内ユニット３０は、側壁Ｗ１に固定される壁掛け型であってもよいし、床面Ｆ１の下方に設置される床埋込み型であってもよい。
【０１０３】
（７−２）変形例１Ｂ
上記実施形態では、対象空間ＳＰにおいて１台の室内ユニット３０が設置されていた。しかし、対象空間ＳＰに設置される室内ユニット３０の台数は、複数台であってもよい。
【０１０４】
（７−３）変形例１Ｃ
上記実施形態では、室内ユニット３０は、空気流ＡＦの吹出口４１を、ケーシング４０の正面部４０１において、ケーシング４０の中央よりも高い位置に形成されていた。しかし、室内ユニット３０は、必ずしも係る態様で吹出口４１を形成される必要はない。例えば、室内ユニット３０は、吹出口４１を、ケーシング４０の側面部４０２、背面部、又は天面部において、形成されてもよい。また、室内ユニット３０は、吹出口４１を、ケーシング４０の中央よりも低い位置に形成されてもよい。
【０１０５】
（７−４）変形例１Ｄ
上記実施形態では、室内ユニット３０は、空気流ＡＦの吸込口４２として、ケーシング４０の正面部４０１に形成される正面吸込口４２ａと、ケーシング４０の正面部４０１と背面部とを繋ぐ左右の側面部４０２に形成される側面吸込口４２ｂと、を形成されていた。しかし、室内ユニット３０は、必ずしも係る態様で吸込口４２を形成される必要はない。例えば、室内ユニット３０は、吸込口４２として、正面吸込口４２ａ及び側面吸込口４２ｂのいずれかのみを形成されてもよい。また、室内ユニット３０は、正面吸込口４２ａ及び／又は側面吸込口４２ｂ、に代えて／とともに、ケーシング４０の背面部又は底面部において他の吸込口４２を形成されてもよい。
【０１０６】
（７−５）変形例１Ｅ
上記実施形態では、冷媒漏洩センサ５５は、室内ユニット３０のケーシング４０内に配置されていた。しかし、冷媒漏洩センサ５５は、必ずしもケーシング４０内に配置される必要はなく、対象空間ＳＰにおける漏洩冷媒を検知可能な限り、他の場所に配置されてもよい。例えば、冷媒漏洩センサ５５は、対象空間ＳＰ内に設置されるリモコン５０や他の機器内に配置されてもよい。また、冷媒漏洩センサ５５は、対象空間ＳＰにおいて独立して配置されてもよい。
【０１０７】
（７−６）変形例１Ｆ
上記実施形態では、室内ユニット制御部３３（風向制御部６５）は、冷媒漏洩を検出してから（冷媒漏洩判別フラグＦＬ２が立てられてから）所定時間ｔ１が経過すると、フラップ４５を、継続的に上下に回動させ上向吹出角度と下向吹出角度とを往復させることで、空気流ＡＦの吹出方向を、連続的に上下に変化（スイング）させていた。しかし、室内ユニット制御部３３は、必ずしも係る制御を実行する必要はなく、適宜省略してもよい。
【０１０８】
（７−７）変形例１Ｇ
上記実施形態では、所定時間ｔ１は３ｍｉｎに設定されていた。しかし、所定時間ｔ１は必ずしもこれに限定されず、適宜変更が可能である。例えば、所定時間ｔ１は、１ｍｉｎに設定されてもよいし１０ｍｉｎに設定されてもよい。
【０１０９】
（７−８）変形例１Ｈ
上記実施形態における室内ユニット制御部３３を構成する要素（６１、６２、・・・６６）は、必ずしも室内ユニット制御部３３内に配置される必要はなく、通信ネットワークを介して通信可能な限り、他の場所（例えば室外ユニット制御部１６内、リモコン５０又は集中管理機器等の他の装置内）に配置されてもよい。
【０１１０】
（７−９）変形例１Ｉ
上記実施形態では、冷媒漏洩報知部５８は、所定電圧を供給されることで点灯する発光部であり、例えばＬＥＤライト等であった。しかし、冷媒漏洩報知部５８は、冷媒漏洩が生じたことを報知可能な出力部である限り、適宜変更が可能である。例えば、冷媒漏洩報知部５８は、所定電圧を供給されることで音声を出力可能なスピーカであってもよい。
【０１１１】
また、冷媒漏洩報知部５８は、ケーシング４０の正面側の上部に配置されていた。しかし、冷媒漏洩報知部５８は、ユーザや管理者が認識可能である限り、他の位置に設置されてもよい。例えば、冷媒漏洩報知部５８は、リモコン５０や他の機器内に配置されてもよいし、独立して配置されてもよい。
【０１１２】
〈第２実施形態〉
以下、本発明の第２実施形態に係る室内ユニット３０ａについて説明する。なお、第１実施形態と共通する部分については説明を省略する。また、以下の実施形態は、本発明の趣旨を逸脱しない範囲で適宜変更可能であり、矛盾が生じない範囲で第１実施形態において記載した事項及び各変形例を組み合わされて適用されてもよい。また、以下の実施形態において、上、下、左、右、正面（前）又は背面（後）といった方向は、図１０及び図１１に示す方向を意味する。
【０１１３】
（１）室内ユニット３０ａ
図１０は、室内ユニット３０ａの外観斜視図である。室内ユニット３０ａは、略直方体状の外郭を構成するケーシング４０ａを、ケーシング４０に代えて有している。
【０１１４】
室内ユニット３０ａは、ケーシング４０ａに、吹出口４１及び吸込口４２に加えて、空気流ＡＦを水平方向ｈ１よりも下方向に吹出すための吹出口として機能する複数の開口（以下、「下吹出口４３」と称する）を形成されている。具体的に、各下吹出口４３（特許請求の範囲記載の「第２吹出口」に相当）は、ケーシング４０ａの幅方向（左右方向）に長い長方形状を呈している。各下吹出口４３は、ケーシング４０ａの正面部４０１において、ケーシング４０ａの中央よりも低い位置（すなわち、吹出口４１よりも低い位置）に形成されている。より詳細には、複数の下吹出口４３は、最下方に位置する側面吸込口４２ｂよりも低い位置において、上下方向及び左右方向に列を成すように形成されている。
【０１１５】
室内ユニット３０ａは、下吹出口４３の開閉を切り換えるダンパ８０と、ダンパ８０を回動させるダンパ回転軸８１と、ダンパモータ８２と、を有している。図１１は、ダンパ８０の回動によって下吹出口４３が開閉する様子を示した模式図である。
【０１１６】
ダンパ８０（特許請求の範囲記載の「第２吹出口開閉部」に相当）は、ダンパ回転軸８１と機械的に接続され、ダンパ回転軸８１の回転に伴って回動する。ダンパ８０は、下吹出口４３を閉じる閉状態（図１１の破線で示す状態）と、下吹出口４３を開ける開状態（図１１の実線で示す状態）と、をとりうる。ダンパ８０は、停止時には閉状態に切り換えられ、運転時には開状態に切り換えられる。
【０１１７】
ダンパ回転軸８１は、ダンパモータ８２の出力軸に機械的に接続されており、ダンパモータ８２の駆動に連動して回転する。ダンパモータ８２は、室内ユニット制御部３３ａ（後述）と電気的に接続され、駆動電圧を供給されることで駆動する（図１２参照）。
【０１１８】
室内ユニット３０ａは、室内ユニット制御部３３に代えて室内ユニット制御部３３ａを有している。図１２は、室内ユニット制御部３３ａの概略構成と、室内ユニット制御部３３ａに接続される機器を概略的に示したブロック図である。
【０１１９】
室内ユニット制御部３３ａは、室内ユニット制御部３３に接続される機器に加えて、ダンパモータ８２と電気的に接続されている。また、室内ユニット制御部３３ａは、室内ユニット制御部３３に含まれる要素に加えて、ダンパ制御部６７をさらに含んでいる。
【０１２０】
ダンパ制御部６７は、制御プログラムに沿って、各フラグ（ＦＬ１、ＦＬ２、ＦＬ３）を適宜参照し、ダンパ８０（ダンパモータ８２）の動作を状況に応じて制御する機能部である。ダンパ制御部６７は、ダンパ８０の動作を制御することで、下吹出口４３の開閉を制御する。
【０１２１】
ダンパ制御部６７は、停止時には、ダンパ８０を閉状態に切り換えて下吹出口４３を閉じさせる。また、ダンパ制御部６７は、運転時には、ダンパ８０を開状態に切り換えて下吹出口４３を開けさせる。また、ダンパ制御部６７は、運転時に関わらず、冷媒漏洩判別フラグＦＬ２が立てられると、ダンパ８０を閉状態に切り換えて下吹出口４３を閉じさせる。これにより、対象空間ＳＰにおいて冷媒漏洩が生じた場合には、空気流ＡＦが吹出口４１のみから水平方向ｈ１より上向きに吹き出される。
【０１２２】
室内ユニット制御部３３ａは、電源を投入されると、例えば図１３のような流れで処理を実行する。図１３は、室内ユニット制御部３３ａの処理の流れの一例を示したフローチャートである。なお、図１３に示す処理の流れは、図８に示す室内ユニット制御部３３の処理の流れと、ステップＳ１０４がステップＳ１０４´に置き換えられる点を除いて、共通である。
【０１２３】
ステップＳ１０４´において、室内ユニット制御部３３ａは、図８に示すステップＳ１０４における処理に加えて、ダンパ８０を閉状態に切り換える。係る処理は、床面Ｆ１付近に存在する漏洩冷媒を各吸込口４２から取り込んで、吹出口４１から水平方向ｈ１より上向きの方向ｄｒ２に向けて吹き出しやすくするために実行される。
【０１２４】
（２）室内ユニット３０ａの特徴
室内ユニット３０ａでは、室内ユニット制御部３３ａは、冷媒漏洩センサ５５が冷媒漏洩を検出した場合には、ダンパ８０によって、下吹出口４３が吹出口４１よりも低い位置に形成された下吹出口４３を閉じさせている。これにより、上下に吹出口４１を形成された室内ユニット３０ａにおいて、Ｒ３２のように空気よりも比重が大きい冷媒の漏洩が生じた場合であっても、床面Ｆ１付近に存在する漏洩冷媒が吸込口４２から取り込まれやすくなっており、漏洩冷媒が上方へと拡散されて対象空間ＳＰ全体において均一に拡散されやすいようになっている。その結果、冷媒漏洩が生じた際に、対象空間ＳＰの特定部分において漏洩冷媒の濃度が高まることが抑制されている。
【０１２５】
（３）変形例
上記実施形態は、以下の変形例に示すように適宜変形が可能である。なお、各変形例は、矛盾が生じない範囲で、他の変形例と組み合わせて適用されてもよい。
【０１２６】
（３−１）変形例２Ａ
室内ユニット３０ａにおいては、フラップ４５が、運転時に、吹出口４１における空気流ＡＦの吹出方向が水平方向ｈ１より下向きの方向ｄｒ１となる下向吹出角度（図５参照）から、吹出方向が水平方向ｈ１より上向きの方向ｄｒ２となる上向吹出角度（図６参照）までの範囲を回動可能に構成される必要は必ずしもない。例えば、室内ユニット３０ａでは、フラップ４５は、吹出方向が水平方向ｈ１より上向きの方向ｄｒ２となる範囲（すなわち上向吹出角度内）で、回動可能なように構成されてもよい。すなわち、室内ユニット３０ａでは、吹出口４１において空気流ＡＦが、水平方向ｈ１より上向きの方向ｄｒ２のみに吹き出されるように構成されてもよい。
【０１２７】
（３−２）変形例２Ｂ
室内ユニット３０ａでは、下吹出口４３を開閉する機構としてダンパ８０が用いられていた。しかし、下吹出口４３の開閉機能に加えて、下吹出口４３における空気流ＡＦの吹出方向を調整可能な機能を有するフラップを、ダンパ８０に代えて配置してもよい。係る場合、当該フラップは、特許請求の範囲記載の「第２吹出口開閉部」に相当する。
【産業上の利用可能性】
【０１２８】
本発明は、空調室内機に適用可能である。
【符号の説明】
【０１２９】
１０        ：室外ユニット
１６        ：室外ユニット制御部
３０、３０´、３０ａ  ：室内ユニット（空調室内機）
３２        ：室内ファン（送風機）
３３        ：室内ユニット制御部
４０、４０ａ  ：ケーシング
４１        ：吹出口
４２        ：吸込口
４２ａ      ：正面吸込口
４２ｂ      ：側面吸込口
４３        ：下吹出口（第２吹出口）
４５        ：フラップ（吹出方向調整フラップ）
４６        ：回転軸
５０        ：リモコン
５５        ：冷媒漏洩センサ
５８        ：冷媒漏洩報知部
３３、３３ａ  ：室内ユニット制御部（制御部）
７０        ：ダンパ制御部
８０        ：ダンパ（第２吹出口開閉部）
８１        ：ダンパ回転軸
１００      ：空気調和機
４０１      ：正面部
４０２      ：側面部
ＡＦ        ：空気流
Ｃ１        ：天井
Ｆ１        ：床面
ＲＣ        ：冷媒回路
ＳＰ        ：対象空間
Ｗ１        ：側壁
ｄｒ２      ：方向（第１方向）
ｈ１        ：水平方向
ｔ１        ：所定時間
【先行技術文献】
【特許文献】
【０１３０】
【特許文献１】特開２０１２−１３３４８号公報
【図１】
2017040381.tif 000003
【図２】
2017040381.tif 000004
【図３】
2017040381.tif 000005
【図４】
2017040381.tif 000006
【図５】
2017040381.tif 000007
【図６】
2017040381.tif 000008
【図７】
2017040381.tif 000009
【図８】
2017040381.tif 000010
【図９】
2017040381.tif 000011
【図１０】
2017040381.tif 000012
【図１１】
2017040381.tif 000013
【図１２】
2017040381.tif 000014
【図１３】
2017040381.tif 000015